【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
資源オブジェクト及び資源オブジェクトを処理するための手続きが分散して配置された資源空間上において、複数の手続きを組み合わせて構成されるサービスを要求するための遠隔手続き呼び出し式を生成する遠隔手続き呼び出し式生成装置であって、複数のハイパーオブジェクト手段を有し、各ハイパーオブジェクト手段は、
手続呼出し式を生成するための手続呼出し式生成規則を保持する手続呼出し式生成規則保持手段と、
属性値を保持する１以上の属性保持手段と、
他のハイパーオブジェクト手段に対する１以上のリンク情報を保持するリンク保持手段を有し、
前記手続呼出し式生成規則保持手段が保持する手続き呼出し式生成規則は、属性値参照及び／又はリンク先のハイパーオブジェクト手段における手続呼出し式生成結果の参照などからなる１以上の生成規則要素を記述するための所定の文法規則に従った文字列で構成される、
ことを特徴とする遠隔手続き呼び出し式生成装置。
【請求項２】
前記ハイパーオブジェクト手段は、手続き呼出し式生成要求に応答して起動し、さらに、
前記所定の文法規則に従って前記手続呼出し式生成規則保持手段が保持する手続き呼出し式生成規則を解釈して、生成規則要素を抽出する生成規則要素抽出手段と、
抽出された生成規則要素が属性値参照である場合には、前記属性保持手段を検索して、該生成規則要素を該当する属性値で置き換える手段と、
抽出された生成規則要素がリンク先のハイパーオブジェクト手段における手続呼出し式生成結果の参照である場合には、該リンク先のハイパーオブジェクト手段に対して手続き呼出し式生成要求を発行し、該生成規則要素を該リンク先のハイパーオブジェクト手段による手続き呼出し式生成結果で置き換える手段と、
を具備することを特徴とする請求項１に記載の遠隔手続き呼び出し式生成装置。
【請求項３】
前記ハイパーオブジェクト手段はハイパーテキストを生成するプログラムであることを特徴とする請求項１に記載の遠隔手続き呼出し式生成装置。
【請求項４】
ＨＴＴＰ（Hyper Text Transfer Protocol）オブジェクト及びＨＴＴＰオブジェクトを処理するための手続きが分散して配置されたＷＷＷ（World Wide Web）資源空間上において、複数の手続きサーバを組み合わせて構成されるサービスを要求するためのＵＲＬ（Uniform Resource Locator）を生成する遠隔手続き呼出し式生成方式であって、複数のハイパーオブジェクト手段を有し、各ハイパーオブジェクト手段は、
手続呼出し式としてのＵＲＬを生成するためのＵＲＬ生成規則を保持するＵＲＬ生成規則保持手段と、
属性値を保持する１以上の属性保持手段と、
他のハイパーオブジェクト手段に対する１以上のリンク情報を保持するリンク保持手段を有し、
前記ＵＲＬ生成規則保持手段が保持するＵＲＬ生成規則は、属性値参照及び／又はリンク先のハイパーオブジェクト手段におけるＵＲＬ生成結果の参照などからなる１以上のＵＲＬ生成規則要素を記述するための所定の文法規則に従った文字列で構成される、
ことを特徴とする遠隔手続き呼び出し式生成装置。
【請求項５】
前記ハイパーオブジェクト手段は、ＵＲＬ生成要求に応答して起動し、さらに、
前記所定の文法規則に従って前記ＵＲＬ生成規則が保持するＵＲＬ生成規則を解釈して、ＵＲＬ生成規則要素を抽出するＵＲＬ生成規則要素抽出手段と、
抽出されたＵＲＬ生成規則要素が属性値参照である場合には、前記属性保持手段を検索して、該ＵＲＬ生成規則要素を該当する属性値で置き換える手段と、
抽出されたＵＲＬ生成規則要素がリンク先のハイパーオブジェクト手段におけるＵＲＬ生成結果の参照である場合には、該リンク先のハイパーオブジェクト手段に対してＵＲＬ生成要求を発行し、該ＵＲＬ生成規則要素を該リンク先のハイパーオブジェクト手段によるＵＲＬ生成結果で置き換える手段と、
を具備することを特徴とする請求項４に記載の遠隔手続き呼び出し式生成装置。
【請求項６】
資源オブジェクト及び資源オブジェクトを処理するための手続きが分散して配置された資源空間上において、複数の手続きを組み合わせて構成されるサービスを要求するための遠隔手続き呼び出し式を生成するためのハイパーオブジェクトであって、
手続呼出し式を生成するための手続呼出し式生成規則を保持する手続呼出し式生成規則保持手段と、
属性値を保持する１以上の属性保持手段と、
他のハイパーオブジェクトに対する１以上のリンク情報を保持するリンク保持手段を有し、
前記手続呼出し式生成規則保持手段が保持する手続き呼出し式生成規則は、属性値参照及び／又はリンク先のハイパーオブジェクトにおける手続呼出し式生成結果の参照などからなる１以上の生成規則要素を記述するための所定の文法規則に従った文字列で構成される、
ことを特徴とするハイパーオブジェクト。
【請求項７】
前記ハイパーオブジェクトは、手続き呼出し式生成要求に応答して起動する処理を含み、該処理は、
前記所定の文法規則に従って前記手続呼出し式生成規則保持手段が保持する手続き呼出し式生成規則を解釈して、生成規則要素を抽出するステップと、
抽出された生成規則要素が属性値参照である場合には、前記属性保持手段を検索して、該生成規則要素を該当する属性値で置き換えるステップと、
抽出された生成規則要素がリンク先のハイパーオブジェクトにおける手続呼出し式生成結果の参照である場合には、該リンク先のハイパーオブジェクトに対して手続き呼出し式生成要求を発行し、該生成規則要素を該リンク先のハイパーオブジェクトによる手続き呼出し式生成結果で置き換えるステップと、
を具備することを特徴とする請求項６に記載のハイパーオブジェクト。
【請求項８】
前記ハイパーオブジェクトはハイパーテキストを生成するためのオブジェクト指向プログラムであることを特徴とする請求項６に記載のハイパーオブジェクト。
【請求項９】
ＨＴＴＰ（Hyper Text Transfer Protocol）オブジェクト及びＨＴＴＰオブジェクトを処理するための手続きが分散して配置されたＷＷＷ（World Wide Web）資源空間上において、複数の手続きサーバを組み合わせて構成されるサービスを要求するためのＵＲＬ（Uniform Resource Locator）を生成するためのハイパーオブジェクトであって、
手続呼出し式としてのＵＲＬを生成するためのＵＲＬ生成規則を保持するＵＲＬ生成規則保持手段と、
属性値を保持する１以上の属性保持手段と、
他のハイパーオブジェクトに対する１以上のリンク情報を保持するリンク保持手段を有し、
前記ＵＲＬ生成規則保持手段が保持するＵＲＬ生成規則は、属性値参照及び／又はリンク先のハイパーオブジェクトにおけるＵＲＬ生成結果の参照などからなる１以上のＵＲＬ生成規則要素を記述するための所定の文法規則に従った文字列で構成される、
ことを特徴とするハイパーオブジェクト。
【請求項１０】
前記ハイパーオブジェクトは、ＵＲＬ生成要求に応答して起動する処理を含み、該処理は、
前記所定の文法規則に従って前記ＵＲＬ生成規則が保持するＵＲＬ生成規則を解釈して、ＵＲＬ生成規則要素を抽出するステップと、
抽出されたＵＲＬ生成規則要素が属性値参照である場合には、前記属性保持手段を検索して、該ＵＲＬ生成規則要素を該当する属性値で置き換えるステップと、
抽出されたＵＲＬ生成規則要素がリンク先のハイパーオブジェクトにおけるＵＲＬ生成結果の参照である場合には、該リンク先のハイパーオブジェクトに対してＵＲＬ生成要求を発行し、該ＵＲＬ生成規則要素を該リンク先のハイパーオブジェクトによるＵＲＬ生成結果で置き換えるステップと、
を具備することを特徴とする請求項９に記載のハイパーオブジェクト。
【請求項１１】
資源オブジェクト及び資源オブジェクトを処理するための手続きが分散して配置された資源空間上において、複数の手続きを組み合わせて構成されるサービスを要求するための遠隔手続き呼び出し式を生成する遠隔手続き呼び出し式生成方法であって、複数のハイパーオブジェクト・ステップを有し、各ハイパーオブジェクト・ステップは、
手続呼出し式を生成するための手続呼出し式生成規則を保持する手続呼出し式生成規則保持ステップと、
属性値を保持する１以上の属性保持ステップと、
他のハイパーオブジェクト・ステップに対する１以上のリンク情報を保持するリンク保持ステップを有し、
前記手続呼出し式生成規則保持ステップにおいて保持する手続き呼出し式生成規則は、属性値参照及び／又はリンク先のハイパーオブジェクト・ステップにおける手続呼出し式生成結果の参照などからなる１以上の生成規則要素を記述するための所定の文法規則に従った文字列で構成される、
ことを特徴とする遠隔手続き呼び出し式生成方法。